(57)【要約】【課題】侵入者に気付かれることなく撮像手段による撮像を行える画像処理装置を提供する。【解決手段】侵入者の侵入を検知する侵入検知手段と、監視領域を撮像する撮像手段と、撮像手段の動作を制御する撮像制御手段と、侵入検知手段から侵入者の侵入が検知された際に、省エネ電力設定の場合には、撮像モードへの切替えを指示する撮像モード指示手段と、撮像モード指示手段から、撮像モードへの切替え指示を受けて、前記省エネ電力設定のまま、撮像制御手段へ撮像手段の起動を指示する撮像切替手段とを有する。【選択図】図４
2015046149.tif 000002
【特許請求の範囲】
【請求項１】
侵入者の侵入を検知する侵入検知手段と、
監視領域を撮像する撮像手段と、
前記撮像手段の動作を制御する撮像制御手段と、
前記侵入検知手段から侵入者の侵入が検知された際に、省エネ電力設定の場合には、撮像モードへの切替えを指示する撮像モード指示手段と、
前記撮像モード指示手段から、撮像モードへの切替え指示を受けて、前記省エネ電力設定のまま、前記撮像制御手段へ前記撮像手段の起動を指示する撮像切替手段と、
を有することを特徴とする画像処理装置。
【請求項２】
前記撮像制御手段は、
少なくとも前記撮像モード指示手段の制御に用いるオペレーティングシステムとは異なるオペレーティングシステムにより撮像手段の動作を制御することを特徴とする請求項１に記載した画像処理装置。
【請求項３】
前記撮像制御手段は、
前記撮像切替手段から前記撮像手段の起動指示を受けると、前記撮像手段に対して撮影報知光源を消灯する設定を行うことを特徴とする請求項１又は２に記載の画像処理装置。
【請求項４】
前記撮像制御手段は、
前記撮像切替手段から前記撮像手段の起動指示を受けると、前記撮像手段に対して撮像時の操作音の発生を抑止する設定を行うことを特徴とする請求項１〜３の何れか一項に記載の画像処理装置。
【請求項５】
１台以上の画像処理装置を備えた防犯システムであって、
侵入者の侵入を検知する侵入検知手段と、
監視領域を撮像する撮像手段と、
前記撮像手段の動作を制御する撮像制御手段と、
前記侵入検知手段から侵入者の侵入が検知された際に、省エネ電力設定の場合には、撮像モードへの切替えを指示する撮像モード指示手段と、
前記撮像モード指示手段から、撮像モードへの切替え指示を受けて、前記省エネ電力設定のまま、前記撮像制御手段へ前記撮像手段の起動を指示する撮像切替手段と、
を有することを特徴とする画像処理装置を備えた防犯システム。
【請求項６】
侵入者の侵入を検知する侵入検知ステップと、
監視領域を撮像する撮像ステップと、
前記撮像ステップの動作を制御する撮像制御ステップと、
前記侵入検知ステップから侵入者の侵入が検知された際に、省エネ電力設定の場合には、撮像モードへの切替えを指示する撮像モード指示ステップと、
前記撮像モード指示ステップから、撮像モードへの切替え指示を受けて、前記省エネ電力設定のまま、前記撮像制御ステップへ前記撮像ステップの起動を指示する撮像切替ステップと、
を有することを特徴とする画像処理方法。
【請求項７】
コンピュータを、
侵入者の侵入を検知する侵入検知手段、
監視領域を撮像する撮像手段、
前記撮像手段の動作を制御する撮像制御手段、
前記侵入検知手段から侵入者の侵入が検知された際に、省エネ電力設定の場合には、撮像モードへの切替えを指示する撮像モード指示手段、
前記撮像モード指示手段から、撮像モードへの切替え指示を受けて、前記省エネ電力設定のまま、前記撮像制御手段へ前記撮像手段の起動を指示する撮像切替手段として機能させるためのプログラム。
【発明の詳細な説明】
【技術分野】
【０００１】
本発明は、画像処理装置、画像処理装置を備えた防犯システム、画像処理方法、及びプログラムに関する。
【背景技術】
【０００２】
従来から、建物内への侵入者の侵入を監視するための監視装置として、コピー、ファクシミリ、プリンタなどの複数の機能を有するＭＦＰ（Multi  Function  Peripheral）を防犯装置として利用する方法が提案されている。
【０００３】
そうした、ＭＦＰとして、例えば、赤外線センサーと撮像手段で侵入者を検知し、指定した場所へ通報する防犯アプリケーションを備えた画像処理装置が知られている（例えば、特許文献１参照）。
【発明の概要】
【発明が解決しようとする課題】
【０００４】
上記のような画像処理装置は、一定時間操作が行われないと、省エネモードに移行することが一般的に行われている。
【０００５】
本来、防犯モードが特に必要な状況とは、オフィスワーカが帰宅、外出、会議などの理由でオフィスに不在のときである。しかし、そのとき画像処理装置は、上記の通り省エネモードに移行している。
【０００６】
画像処理装置は、省エネモードのときに侵入者の侵入を検知すると、省エネモードから撮像モードに切替えるべく各機能を復帰しなければならない。復帰する際には、感光体の回転やプロコン動作による初期（復帰）動作音が発生し、侵入者に気づかれてしまう虞がある。侵入者が防犯モード機能を備えた画像処理装置の存在を知っている場合には、画像処理装置から離れてしまい、撮像手段による侵入者の撮像ができなくなる問題がある。
【０００７】
本発明の一つの実施形態の目的は、侵入者に気付かれることなく撮像手段による撮像を行える画像処理装置を提供することにある。
【課題を解決するための手段】
【０００８】
上記課題に鑑み、本発明の画像処理装置の一つの実施形態において、侵入者の侵入を検知する侵入検知手段と、監視領域を撮像する撮像手段と、前記撮像手段の動作を制御する撮像制御手段と、前記侵入検知手段から侵入者の侵入が検知された際に、省エネ電力設定の場合には、撮像モードへの切替えを指示する撮像モード指示手段と、前記撮像モード指示手段から、撮像モードへの切替え指示を受けて、前記省エネ電力設定のまま、前記撮像制御手段へ前記撮像手段の起動を指示する撮像切替手段と、を有する。
【発明の効果】
【０００９】
本発明の一つの実施形態によれば、侵入者に気付かれることなく撮像手段による撮像を行える画像処理装置を提供できる。
【図面の簡単な説明】
【００１０】
【図１】第１の実施形態に係る画像処理装置の一例を示す図である。
【図２】第１の実施形態に係る画像処理装置のハードウェア構成の一例を示す図である。
【図３】第１の実施形態に係る画像処理装置のソフトウェア構成の一例を示す図である。
【図４】第１の実施形態に係る画像処理装置の機能構成の一例を示す図である。
【図５】第１の実施形態に係る画像処理装置の撮像処理の流れを示すフローチャートである。
【図６】撮像制御手段による撮像手段の設定流れの一例を示すフローチャートである。
【図７】第２の実施形態に係る画像処理装置の機能構成の一例を示す図である。
【発明を実施するための形態】
【００１１】
以下、開示の技術に係る実施形態について詳細に説明する。しかし、本発明は下記に記載する例によって限定されるものではない。なお、以後の説明において、添付の全図面の記載の同一又は対応する機能部又は構成部には、同一又は対応する参照符号を付し、重複する説明を省略する。
【００１２】
［第１の実施形態］
＜画像処理装置：概略構成＞
図１は、第１の実施形態に係る画像処理装置の一例を示す図である。図１に示す画像処理装置１０は、例えば印刷、スキャン、コピー及びファクス（ＦＡＸ）通信等のうちの二以上の機能を一台の筐体によって実現する複合機（ＭＦＰ）である。但し、いずれか一つの機能を単体で有する機器が画像処理装置１０として用いられてもよい。また、画像処理装置１０は、画像処理サービスの提供内容によっては、プロジェクタ等を含む画像処理装置であってもよい。
【００１３】
第１の実施形態における画像処理装置１０は、筐体内に侵入者の侵入を検知する侵入検知手段と侵入者を撮像する撮像手段とを備えている。
【００１４】
＜ハードウェア構成＞
図２は、本発明の第１の実施形態に係る画像処理装置１０のハードウェア構成の一例を示す図である。
【００１５】
画像処理装置１０は、コントローラ１００と、操作部１１０と、記憶メディアＩ／Ｆ１２０と、データ通信Ｉ／Ｆ１３０と、ＨＤＤ（Hard  Disk  Drive）１４０と、スキャナ１５０と、プロッタ１６０とを有し、それぞれＰＣＩバス１７０で相互に接続されている。
【００１６】
コントローラ１００は、ＲＯＭ１０１、ＲＡＭ１０２及びＣＰＵ１０３を有しており、ＲＯＭ１０１は、画像処理装置１０が起動されるときに実行されるプログラムや各種データを格納している。また、ＲＡＭ１０２は、ＲＯＭ１０１やＨＤＤ１４０から読み出された各種ソフトウェアやデータを一時保持する。ＣＰＵ１０３は、ＲＯＭ１０１やＨＤＤ１４０に格納されているオペレーティングシステム（Operating  System）１（以下、ＯＳ１とも言う。）で、各種ソフトウェアを動作させる。
【００１７】
操作部１１０は、入力装置１１１と表示装置１１２とを有しており、入力装置１１１は、ハードウェアキー等で構成され、画像処理装置１０に各操作信号を入力するのに用いられる。また、表示装置１１２は、ディスプレイ等で構成され、例えば画像形成動作に関する各種情報を表示する。また、操作部１１０において、コントローラ１００と異なる独自のオペレーティングシステム２（以下、ＯＳ２とも言う。）で、各種ソフトウェアが動作する。本実施形態においては、後述するが操作部１１０のＯＳ２によって、撮像手段１６の動作が実行される。
【００１８】
記憶メディアＩ／Ｆ１２０は、ドライブ装置１２１を有しており、ドライブ装置１２１に記録媒体１２２がセットされると、記録媒体１２２に記録される各種データがドライブ装置１２１を介してＨＤＤ１４０に格納される。
【００１９】
データ通信Ｉ／Ｆ１３０は、インタフェース装置１３１を有しており、画像処理装置１０の内部へ、又は外部へのデータ伝送路に接続するインタフェースである。
【００２０】
ＨＤＤ１４０は、画像処理装置１０で取り扱われる受信文書データや読み取り画像データ等の各種データを格納している。また、ＨＤＤ１４０は、これらの各種データを、所定のファイルシステムやＤＢ（Data  Base）により管理している。ＨＤＤ１４０に格納される各種データの中には、例えば、後述する撮像手段１６によって撮像された画像や映像、撮像日時などの撮像情報が含まれる。上記の撮像情報は、データ伝送路であるネットワーク等を通じてアップロードされたりする。
【００２１】
スキャナ１５０は、画像読取装置１５１（スキャナエンジン）を有しており、読み取り面に配置された原稿を光学的に読み取り、画像データを生成する。
【００２２】
プロッタ１６０は、印刷装置１６１（プロッタエンジン）を有しており、例えば、電子写真プロセス方式によってビットマップイメージを記録紙に印刷する。
【００２３】
本実施形態における画像処理装置１０では、上記ハードウェア構成により、コピー、プリンタ、ファクシミリ、スキャナ等の複数の機能、情報検索機能、近距離通信を含む通信機能及び認証機能等を実現している。
【００２４】
画像処理装置１０は、上記したように画像処理装置１０の本体に相当するコントローラ１００と、操作部１１０において実行されるオペレーティングシステムは、それぞれ異なるという特長を有している。次に、コントローラ１００（以下、本体１００とも言う）と操作部１１０のソフトウェア構成について説明する。
【００２５】
＜ソフトウェア構成＞
上記の構成とされた画像処理装置１０のソフトウェア構成について説明する。図３は、画像処理装置１０のソフトウェア構成の一例を示す模式図である。図３に示すように、本体１００は、アプリ層２１と、サービス層２２と、ＯＳ１層２３とを有する。アプリ層２１、サービス層２２、および、ＯＳ１層２３の実体は、上記したＲＯＭ１０１やＨＤＤ１４０等に格納されている各種ソフトウェアである。ＣＰＵ１０３が、これらのソフトウェアを実行することにより、各種の機能が提供される。
【００２６】
アプリ層２１のソフトウェアは、ハードウェア資源を動作させて所定の機能を提供するためのアプリケーションソフトウェア（以下の説明では、単に「アプリ」と称する場合がある）である。例えばアプリとしては、コピー機能を提供するためのコピーアプリ、スキャナ機能を提供するためのスキャナアプリ、ファクス機能を提供するためのファクスアプリ、プリンタ機能を提供するためのプリンタアプリなどが挙げられる。
【００２７】
サービス層２２のソフトウェアは、アプリ層２１とＯＳ１層２３との間に介在され、アプリに対し、本体１００が備えるハードウェア資源を利用するためのインタフェースを提供するためのソフトウェアである。より具体的には、ハードウェア資源に対する動作要求の受付、動作要求の調停を行う機能を提供するためのソフトウェアである。サービス層２２が受け付ける動作要求としては、スキャナによる読み取りやプロッタによる印刷等の要求が考えられる。
【００２８】
なお、サービス層２２によるインタフェースの機能は、本体１００のアプリ層２１だけではなく、操作部１１０のアプリ層３１に対しても提供される。すなわち、操作部１１０のアプリ層３１（アプリ）も、サービス層２２のインタフェース機能を介して、本体１００のハードウェア資源を利用した機能を実現することができる。
【００２９】
ＯＳ１層２３のソフトウェアは、本体１００が備えるハードウェアを制御する基本機能を提供するための基本ソフトウェア（オペレーティングシステム）である。サービス層２２のソフトウェアは、各種アプリからのハードウェア資源の利用要求を、ＯＳ１層２３が解釈可能なコマンドに変換してＯＳ１層２３へ渡す。そして、ＯＳ１層２３のソフトウェアによりコマンドが実行されることで、ハードウェア資源は、アプリの要求に従った動作を行う。
【００３０】
同様に、操作部１１０は、アプリ層３１と、サービス層３２と、ＯＳ２層３３とを有する。操作部１１０が備えるアプリ層３１、サービス層３２及びＯＳ２層３３も、階層構造については本体１００側と同様である。ただし、アプリ層３１のアプリにより提供される機能や、サービス層３２が受け付け可能な動作要求の種類は、本体１００側とは異なる。
【００３１】
アプリ層３１のアプリは、操作部１１０が備えるハードウェア資源を動作させて所定の機能を提供するためのソフトウェアであってもよいが、主として本体１００が備える機能（コピー機能、スキャナ機能、ファクス機能、プリンタ機能）に関する操作や表示を行うためのＵＩ（ユーザインタフェース）の機能や、画像処理装置１０で使用されるトナーや紙などの消耗品の注文販売機能を提供するためのソフトウェアである。本実施形態においては、撮像手段１６を動作させるためのソフトウェアを有している。
【００３２】
また、操作部１１０には、本体１００の無線ＬＡＮによる通信をならしめるデータ通信Ｉ／Ｆ１３０と通信可能な通信Ｉ／Ｆ３４が備えられており、撮像された撮像情報をＨＤＤ１４０へ逐次送信する。
【００３３】
なお、本実施形態では、機能の独立性を保つために、本体１００側のＯＳ１層２３のソフトウェアと、操作部１１０側のＯＳ２層３３のソフトウェアが互いに異なる。つまり、本体１００と操作部１１０は、別々のオペレーティングシステムで互いに独立して動作する。例えば、本体１００側のＯＳ１層２３のソフトウェアとしてＬｉｎｕｘ（登録商標）を用い、操作部１１０側のＯＳ２層３３のソフトウェアとしてＡｎｄｒｏｉｄ（登録商標）を用いることも可能である。
【００３４】
以上のように、本実施形態の画像処理装置１０において、本体１００と操作部１１０とは別々のオペレーティングシステム（ＯＳ１、ＯＳ２）で動作するため、本体１００と操作部１１０との間の通信は、共通の装置内のプロセス間通信ではなく、異なる装置間の通信として行われる。操作部１１０が受け付けた入力（ユーザからの指示内容）を本体１００へ伝達する動作（コマンド通信）や、本体１００が操作部１１０へイベントを通知する動作などがこれに該当する。ここでは、操作部１１０が本体１００へコマンド通信を行うことにより、本体１００の機能を使用することができる。また、本体１００から操作部１１０に通知するイベントには、本体１００における動作の実行状況、本体１００側で設定された内容などが挙げられる。特に、本実施形態では、本体１００からの撮像手段１６の起動指示が含まれている。
【００３５】
また、本実施形態では、操作部１１０に対する電力供給は、本体１００から通信路３００を経由して行われているので、操作部１１０の電源制御を、本体１００の電源制御とは別に独立して行うことができる。したがって、操作部１１０のみをＯＳ２によって起動することができる。すると、ＯＳ２による撮像手段１６の起動時に、本体１００のＯＳ１が各機能を起動させる必要がないため、スムーズに撮像手段１６を起動できる。更に、本体１００が制御する各機能の起動音が無く、侵入者に撮像を気づかれる課題を解消できる。
【００３６】
＜機能構成＞
次に、異なるオペレーティングシステムにより動作する本体１００と操作部１１０の機能構成を説明する。
図４は、本実施形態に係る画像処理装置１０の機能構成の一例を示す図である。図４に示すように、画像処理装置１０は、本体１００のＯＳ１層２３によって実行される機能として、侵入検知手段１１と、撮像モード指示手段の一例としての電力設定管理手段１２と、電力設定切替手段１３と、撮像切替手段１４とを有している。また、画像処理装置１０の操作部１１０のＯＳ２層３３によって実行される機能として撮像制御手段１５、及び撮像手段１６を有している。
【００３７】
先ず、本体１００側のＯＳ１層２３によって実行される機能を説明する。
侵入検知手段１１は、所定の範囲内に侵入者が侵入すると検知するセンサーである。特に人体からの赤外線を検知する赤外線センサーが好ましい。
【００３８】
電力設定管理手段１２は、通常電力設定と省エネ電力設定のうち適切な電力設定に切替える指示を行う機能を有している。また、設定された電力設定の管理を行う機能も有している。通常電力設定とは、画像処理装置１０が利用者により通常使用されているときの電力モードを意味する（以下、通常モードという）。省エネ電力設定とは、一定時間操作されない場合に各機能を休止状態（スリープ）にして、電力を最小限に抑制する電力モードを意味する（以下、省エネモードという）。
【００３９】
電力設定管理手段１２は、侵入検知手段１１が侵入者の侵入を検知した際、電力設定が省エネモードである場合には、電力設定の切替え指示を行わず、侵入者を撮像する撮像モードへの切替えを撮像切替手段１４へ指示する撮像モード指示手段としての機能を有する。電力設定が、通常モードである場合には、既に起動している撮像制御手段１５へ撮像手段１６の起動指示を行う。
【００４０】
電力設定切替手段１３は、電力設定管理手段１２から電力設定の切替え指示を受けて、通常モード又は省エネモードに切り替える機能を有する。
【００４１】
撮像切替手段１４は、電力設定管理手段１２から撮像モードへの切替え指示を受けると、省エネモードのまま、撮像制御手段１５に撮像手段１６を起動させる指示を行って撮像モードへ切替える機能を有する。
【００４２】
次に、操作部１１０のＯＳ２層３３によって実行される機能を説明する。
撮像制御手段１５は、電力設定が省エネモードの場合に、撮像切替手段１４から撮像手段１６の起動指示を受けると、撮像手段１６の動作を制御する。また、撮像制御手段１５が起動指示を受けると、操作部１１０はＯＳ２層３３により起動する。また、通常モードの場合には、操作部１１０は既に起動しているので、電力設定管理手段１２から直接撮像手段１６の起動指示を受けて、撮像手段１６の動作を制御する。因みに、通常モードにおいて、既に撮像手段１６が顔認証などにより起動している場合には、直ちに撮像手段１６に撮像を開始させる機能も有している。
【００４３】
上記した動作の制御として、撮像手段１６を起動させて撮像させるだけでなく、撮像手段１６に撮影報知光源を有する場合には、点灯させずに撮像を行わせる設定を行う。また、撮像時の操作音の発生を抑止した状態で撮像手段１６に撮像を行わせる設定も行う。
【００４４】
撮影報知光源とは、撮像していることを報知する点灯ランプであり、具体的にはＬＥＤ素子である。撮像制御手段１５は、撮像手段１６の起動時に撮影報知光源を消灯する設定にする。この制御により、撮影報知光源が点灯していると、侵入者が撮像されていることに気づいて撮像できない位置へ離れてしまうことを防止できる。
【００４５】
撮像時の操作音とは、撮像手段によって異なるが、例えばシャッター音（カメラの場合）や、装置の起動報知音などである。撮像制御手段１５は、撮像手段１６の起動に際して前記した操作音の発生を抑止する設定に設定する。この制御により、操作音が発生することで、侵入者に撮像していることに気付かれ、撮像できない位置へ離れてしまうことを防止できる。
【００４６】
撮像手段１６は、画像処理装置１０が撮像モードにされているとき、所定の監視領域を撮影する機能を有している。撮影された画像は画像データに変換され、所定時間ごとにコントローラ１００へ送信される。撮像手段１６としては、動画の撮影を行うビデオカメラ、静止画像の撮影を行うスチールカメラ、ＣＣＤカメラなどが用いられる。特に言うと、撮影報知光源を有さず、操作音が発生しない撮像手段が好適に実施される。撮像には、ビデオカメラなどで撮影される動画や、カメラなどで撮影される写真などの画像を含み、後に画像解析などに使用される。
【００４７】
上記してきたように、本実施形態は、侵入者の侵入時に電力設定の変更をすることなく操作部１１０のＯＳ２によって撮像手段１６のみを起動させる点が大きな特長のひとつである。これは、前記したように、電力設定の管理や切り替えを行う本体１００と、撮像手段１６の動作を制御する操作部１１０とが、それぞれ異なるオペレーティングシステムにより実行される構成としたからである。
【００４８】
斯すると、画像処理装置１０が、仮に省エネモードの状態において侵入者を検知しても、本体１００側の各機能を復帰させることなく、撮像手段１６のみを起動させて撮像することができる。のみならず、画像処理装置１０の起動音が全くせず、撮像手段１６の操作音も全くしないので、侵入者に撮像していることに気付かれることなく、確実に撮像をならしめて防犯効果を高めることができる。
【００４９】
＜撮像処理の手順＞
次に、上記した構成の画像処理装置１０における撮像処理の流れについて説明する。図５に侵入者を検知し、撮像するまでの処理流れを示した。
【００５０】
Ｓ１：画像処理装置１０の侵入検知手段１１は、侵入者の侵入を検知すると電力設定管理手段１２へ通知する。
【００５１】
Ｓ２：電力設定管理手段１２は、侵入検知手段１１から侵入を検知した通知を受けると、現在の電力設定（電力モード）が「通常モード」か「省エネモード」かを特定する。
【００５２】
Ｓ３：電力設定管理手段１２は、現在の電力設定が撮像手段１６を起動可能であるか否かを判断する。即ち、「通常モード」であれば（Ｙｅｓ）であり、「省エネモード」であれば（ＮＯ）となる。
【００５３】
Ｓ４：「省エネモード」（Ｎｏ）の場合、電力設定管理手段１２は、電力設定（電力モード）の切替え指示を行うことなく、直ちに撮像モードへ切替える指示を撮像切替手段１４に通知する。
【００５４】
Ｓ５：撮像切替手段１４は、電力設定管理手段１２から撮像モードへの切替え指示を受けると、電力設定を「省エネモード」のまま、撮像制御手段１５に撮像手段１６を起動させる「撮像手段起動指示」を通知する。
【００５５】
Ｓ６：Ｓ３において、「通常モード」（Ｙｅｓ）場合、電力設定管理手段１２は、撮像制御手段１５に「撮像手段起動指示」を通知して、撮像手段１６による撮像を開始させる。
【００５６】
通常モードにおいては、撮像手段１６の動作を制御する操作部１１０は既に起動しており、いつでも撮像手段１６を起動させて撮像を開始できるので、撮像切替手段１４に撮像モードへの切替え指示をする必要がない。因みに、撮像手段１６も既に起動している場合には、撮像制御手段１５は電力設定管理手段１２から「撮像手段起動指示」を受けると、直ちに撮像手段１６に撮像を開始させる。
【００５７】
またＳ６は、Ｓ５において、撮像制御手段１５が、撮像切替手段１４から撮像手段１６を起動させる「撮像手段起動指示」を受けた場合、操作部１１０が起動される。そして、当該撮像制御手段１５は、撮像手段１６を起動させ、撮像を開始させる。
【００５８】
次に、撮像制御手段１５が、電力設定管理手段１２又は撮像切替手段１４から「撮像手段起動指示」を受けた際、撮像を開始する前に撮像手段１６の撮像状態を設定する流れを説明する。図６に、撮像制御手段１５による撮像手段１６の設定流れの一例を示した。
【００５９】
Ｓ６０：撮像制御手段１５は、電力設定管理手段１２又は撮像切替手段１４から、「撮像手段起動指示」を受ける。
【００６０】
Ｓ６１：撮像制御手段１５は、「撮像手段起動指示」を受けて、撮像手段１６に対して撮影報知光源を消灯にする設定を行う。
【００６１】
Ｓ６２：撮像制御手段１５は、更に、撮像手段１６に対して撮像時の操作音の発生を抑止する設定を行う。例えば、シャッター音や起動音などの音量を０レベルに設定する。
【００６２】
撮像制御手段１５の上記した各設定により、侵入者に撮像していることを気付かれることなく確実に撮像をならしめて防犯効果を高めることができる。
【００６３】
［第２の実施形態］
図７に第２の実施形態に係る画像処理装置を備えた防犯システムの機能構成の一例を示した。第１の実施形態は、図４に示す通りすべての機能部が画像処理装置１０内に搭載されており、画像処理装置１０のみにより構成、実現される構成である。
【００６４】
第２の実施形態に係る画像処理装置を備えた防犯システムは、侵入者の侵入を検知する侵入検知手段１１などを有する本体１００が画像処理装置１０に搭載されているが、撮像制御手段１５及び撮像手段１６は、画像処理装置１０内に搭載されず、ネットワークＮを介して接続された外部の撮像装置１６０に搭載される構成である点が相違している。
【００６５】
なお、第２の実施形態は上記の構成を除いて第１の実施形態と同一であるため、同一部分についての説明を適宜省略する。また、ハードウェア構成、ソフトウェア構成は第１の実施形態と同様であるため説明を省略する。また、図７において、図４と同一又は対応する機能部については、同一又は対応する参照符号を付し、重複する説明を省略する。
【００６６】
図７に示すように、画像処理装置１０を構成する本体１００は、ネットワークＮと接続する通信手段１５０を更に有している。また、外部の撮像装置１６０には、撮像制御手段１５と撮像手段１６の他にネットワークＮと接続する通信手段１７０を有している。
【００６７】
通信手段１５０は、撮像切替手段１４又は電力設定管理手段１２からの「撮像手段起動指示」をネットワークＮを介して撮像装置１６０の通信手段１７０へ送信することにより、侵入者の撮像開始を指示する機能を有する。因みに、前記した通信手段１５０は、図３のＯＳ１層２３によって撮像装置１６０の通信手段１７０との通信がなされる構成とされている。
【００６８】
因みに、上記したネットワークＮとしては、有線、無線に限らず専用回線、電話回線等で接続されたインターネットや、インターネット技術を利用したイントラネットの形態でもよい。さらには、専用回線を使用する場合でもＷＡＮ（Ｗｉｄｅ Ａｒｅａ Ｎｅｔｗｏｒｋ）やＭＡＮ（Ｍｅｔｒｏｐｏｌｉｔａｎ Ａｒｅａ Ｎｅｔｗｏｒｋ）に限らず、ＬＡＮ（Ｌｏｃａｌ Ａｒｅａ Ｎｅｔｗｏｒｋ）で構成される形態もとりうる。
【００６９】
第２の実施形態に係る画像処理装置を備えた防犯システムの撮像処理の手順は、図５、図６で説明したとおりであり、あえて図示して説明することは省略する。
【００７０】
因みに、図５のＳ５、Ｓ６において撮像切替手段１４又は電力設定管理手段１２が「撮像手段起動指示」を撮像制御手段１５へ送信する際、上記した通信手段１５０から通信手段１７０へネットワークＮを介して送信することでならしめる。
【００７１】
したがって、第２の実施形態に係る画像処理装置を備えた防犯システムは、撮像装置を画像処理装置とは別個に配置できるため、侵入者の撮像に最適な位置に設置できる。また、第１の実施形態と同様に、仮に省エネモードの状態において侵入者を検知しても、本体１００側の各機能が復帰することなく、外部の撮像装置１６０のみを起動させて撮像できるので、侵入者に撮像していることに気付かれることなく、確実に撮像をならしめて防犯効果を高めることができる。
【００７２】
なお、上述した実施形態で説明した画像処理装置は、用途や目的に応じて様々なシステム内に盛り込まれて防犯システムを構築できる。
【００７３】
＜プログラム＞
また、画像処理装置及び画像処理装置を備えた防犯システムで実行される各処理プログラムは、一つの様態として、インストール可能な形式又は実行可能な形式のファイルで、ＣＤ−ＲＯＭ、フレキシブルディスク（ＦＤ）、ＣＤ―Ｒ、ＤＶＤなどのコンピュータで読み取り可能な記憶媒体に記録されて提供される。また、処理プログラムをインターネットなどのネットワークに接続されたコンピュータ上に格納し、ネットワーク経由でダウンロードさせることにより提供するように構成しても良い。また、各処理プログラムを、ＲＯＭなどに予め組み込んで提供するようにしてもよい。
【００７４】
画像処理装置及び画像処理装置を備えた防犯システムで実行されるプログラムは、実際のハードウェアとしてはＣＰＵ（プロセッサ）が記憶媒体から制御プログラムを読み出して実行することにより、上記各機能部が主記憶装置上にロードされ、各機能部が主記憶装置（メモリ）上に生成されるようになっている。
【００７５】
以上、図面を用いて本発明の実施形態を詳細に説明した。なお、上記の記載は、実施形態を理解するためのものであり、実施形態の範囲を限定するものではない。また、上記の複数の実施形態は、相互に排他的なものではない。したがって、矛盾が生じない限り、異なる実施形態の各要素を組み合わせることも意図しており、特許請求の範囲に記載された開示の技術の要旨の範囲内において、種々の変形、変更が可能である。
【符号の説明】
【００７６】
１０  画像処理装置
１１  侵入検知手段
１２  電力設定管理手段（撮像モード指示手段）
１３  電力設定切替手段
１４  撮像切替手段
１５  撮像制御手段
１６  撮像手段
１００  コントローラ
１１０  操作部
【先行技術文献】
【特許文献】
【００７７】
【特許文献１】特許第３７４５６６３号公報
【図１】
2015046149.tif 000003
【図２】
2015046149.tif 000004
【図３】
2015046149.tif 000005
【図４】
2015046149.tif 000006
【図５】
2015046149.tif 000007
【図６】
2015046149.tif 000008
【図７】
2015046149.tif 000009